(57)【特許請求の範囲】
【請求項１】
導光板と、光を放射する光源部と、前記光源部及び前記導光板を保持する器具本体とを備え、
前記光源部は、複数の発光素子が基板の前面に実装されて構成され、
前記導光板は、透光性を有する材料で板状に形成され、前記光源部から側面に入射する光を導光し、かつ、厚み方向に対向する第１主面と第２主面のうちの少なくともいずれか一方の主面から前記光を出射させるように構成され、
前記器具本体は、前記第１主面の側から前記導光板の端部を押さえる第１押さえ部材と、前記第２主面の側から前記導光板の前記端部を押さえる第２押さえ部材と、前記第１押さえ部材と前記第２押さえ部材を互いに結合する結合部材とを有し、
前記第１押さえ部材は、前記導光板の前記端部における前記第１主面と対向する平板状の第１押圧片と、前記導光板の前記端部における前記第２主面と対向する平板状の第１固定片と、前記第１押圧片と前記第１固定片を連結する第１連結片とを有し、
前記第２押さえ部材は、前記導光板の前記端部を挟んで前記第１押圧片と対向する平板状の第２押圧片と、前記第１固定片を挟んで前記第２押圧片と対向する平板状の第２固定片と、前記第２押圧片と前記第２固定片を連結する第２連結片とを有し、
前記第１連結片に前記光源部が取り付けられ、
前記第１固定片と前記第２固定片は、前記結合部材により、前記第２固定片が前記第１固定片を挟んで前記第２押圧片と対向するように結合されることを特徴とする照明器具。
【請求項２】
前記第１主面と前記第１押圧片との間に配置される第１反射部材と、前記第２主面と前記第２押圧片との間に配置される第２反射部材とを備え、前記第１反射部材は、シート状に形成されて前記第１主面と対向する面で光を反射するように構成され、前記第２反射部材は、シート状に形成されて前記第２主面と対向する面で光を反射するように構成されることを特徴とする請求項１記載の照明器具。
【請求項３】
前記第１反射部材及び前記第２反射部材は、結合部によって互いに一体に結合されるように構成され、少なくとも前記結合部は、電気絶縁性を有する材料で形成されることを特徴とする請求項２記載の照明器具。
【請求項４】
前記第１押さえ部材の前記第１押圧片と前記第１主面との間、もしくは、前記第２押さえ部材の前記第２押圧片と前記第２主面との間の少なくともいずれか一方に、弾性部材が挟み込まれることを特徴とする請求項１〜３のいずれか１項に記載の照明器具。
【発明の詳細な説明】
【技術分野】
【０００１】
本発明は、照明器具に関し、より詳細には、導光板を用いる照明器具に関する。
【背景技術】
【０００２】
導光板を用いる照明器具の従来例として、特許文献１記載の照明装置を例示する。特許文献１記載の照明装置（以下、従来例と呼ぶ）は、矩形平板状の導光板と、導光板を収容するケースと、ケースに収容され、導光板の側面（入射面）に対向するように配置される発光素子とを有する。ケースは、導光板の一面（上面）と対向する上板と、導光板の側面と対向する側板とを有する。側板の内側面には、複数の発光素子を実装した基板が固定される。
【０００３】
上述のように構成される従来例は、発光素子から入射面に入射される光を導光板内に導光し、導光板の他面（下面）から出射することで照明を行う。
【先行技術文献】
【特許文献】
【０００４】
【特許文献１】特開２０１４−１４６５２９号公報
【発明の概要】
【発明が解決しようとする課題】
【０００５】
ところで、特許文献１記載の従来例は、ケースの上板に導光板を取り付ける構造について具体的に開示していないが、例えば、導光板に厚み方向の貫通孔を設け、貫通孔に挿通したボルト（ねじ）でケースに導光板を固定することが考えられる。
【０００６】
しかしながら、導光板に貫通孔を設けた場合、導光板内に導光される光が貫通孔で遮られることにより、導光板の発光面（下面）に影が生じたり、輝度むらが大きくなってしまう虞がある。
【０００７】
本発明は、上記課題に鑑みてなされており、貫通孔を設けずに導光板を強固に保持することを目的とする。
【課題を解決するための手段】
【０００８】
本発明の照明器具は、導光板と、光を放射する光源部と、前記光源部及び前記導光板を保持する器具本体とを備え、前記光源部は、複数の発光素子が基板の前面に実装されて構成され、前記導光板は、透光性を有する材料で板状に形成され、前記光源部から側面に入射する光を導光し、かつ、厚み方向に対向する第１主面と第２主面のうちの少なくともいずれか一方の主面から前記光を出射させるように構成され、前記器具本体は、前記第１主面の側から前記導光板の端部を押さえる第１押さえ部材と、前記第２主面の側から前記導光板の前記端部を押さえる第２押さえ部材と、前記第１押さえ部材と前記第２押さえ部材を互いに結合する結合部材とを有し、前記第１押さえ部材は、前記導光板の前記端部における前記第１主面と対向する平板状の第１押圧片と、前記導光板の前記端部における前記第２主面と対向する平板状の第１固定片と、前記第１押圧片と前記第１固定片を連結する第１連結片とを有し、前記第２押さえ部材は、前記導光板の前記端部を挟んで前記第１押圧片と対向する平板状の第２押圧片と、前記第１固定片を挟んで前記第２押圧片と対向する平板状の第２固定片と、前記第２押圧片と前記第２固定片を連結する第２連結片とを有し、前記第１連結片に前記光源部が取り付けられ、前記第１固定片と前記第２固定片は、前記結合部材により、前記第２固定片が前記第１固定片を挟んで前記第２押圧片と対向するように結合されることを特徴とする。
【発明の効果】
【０００９】
本発明の照明器具は、貫通孔を設けずに導光板を強固に保持することができるという効果がある。
【図面の簡単な説明】
【００１０】
【図１】本実施形態に係る照明器具の斜視図である。
【図２】本実施形態に係る照明器具の分解斜視図である。
【図３】本実施形態に係る照明器具を示し、図３Ａは正面図、図３Ｂは平面図、図３Ｃは背面図、図３Ｄは左側面図である。
【図４】本実施形態に係る照明器具における光源部と第２押さえ部材を示す一部省略した斜視図である。
【図５】本実施形態に係る照明器具における導光板と第１取付部材と第２取付部材を示す一部省略した側面図である。
【図６】本実施形態に係る照明器具における導光板と第１取付部材と第２取付部材を示す一部省略した分解側面図である。
【図７】本実施形態に係る照明器具を示し、カバー部材を取り外した状態の斜視図である。
【図８】本実施形態に係る照明器具を示し、一部省略し、かつ、後方から見た斜視図である。
【図９】本実施形態に係る照明器具のカバー部材を示し、一部省略した背面図である。
【図１０】本実施形態に係る照明器具のカバー部材を示し、一部省略した側面図である。
【図１１】本実施形態に係る照明器具のカバー部材を示し、一部省略した正面図である。
【図１２】本実施形態に係る照明器具を示す一部省略した断面斜視図である。
【図１３】本実施形態に係る照明器具を示し、壁に取り付けられた状態の側面断面図である。
【発明を実施するための形態】
【００１１】
以下、本実施形態に係る照明器具について、図面を参照して詳細に説明する。なお、以下の実施形態で説明する構成は本発明の一例にすぎない。本発明は、以下の実施形態に限定されず、本発明に係る技術的思想を逸脱しない範囲であれば、設計等に応じて種々の変更が可能である。
【００１２】
本実施形態に係る照明器具は、図１、図２及び図４に示すように、器具本体１と、２つの光源部２と、導光板４とを備える。さらに、本実施形態に係る照明器具は、図２に示すように、電源装置３を備えることが好ましい。ただし、以下の説明では、図１において、前後、上下、左右の各方向を規定する。
【００１３】
光源部２は、図４に示すように、複数の発光素子２０が基板２１の前面に実装されて構成される。各発光素子２０は、白色光を放射する白色発光ダイオードで構成されることが好ましい。基板２１は、例えば、アルミ又はアルミ合金製のメタル基板又はセラミック基板からなり、左右方向を長手方向とする長方形状に形成されることが好ましい。複数の発光素子２０は、基板２１の短手方向（上下方向）の一端側（下端側）において、長手方向（左右方向）に沿って、等間隔かつ一列に並べて実装される。また、各発光素子２０は、基板２１の前面に形成される導体（銅箔）を介して、電気的に直列接続されることが好ましい。さらに、２つのレセプタクルコネクタ２１０Ａ、２１０Ｂが、基板２１の前面における長手方向の両端近くに実装されている。左端のレセプタクルコネクタ２１０Ａは、左端の発光素子２０の一方の電極（例えば、アノード）と導体（銅箔）を介して電気的に接続される。右端のレセプタクルコネクタ２１０Ｂは、右端の発光素子２０の他方の電極（例えば、カソード）と導体（銅箔）を介して電気的に接続される。
【００１４】
導光板４は、図２及び図３Ａ〜図３Ｄに示すように、アクリル樹脂やポリカーボネート樹脂などの透光性を有する合成樹脂材料により、左右方向を長手方向とする長尺の矩形平板状に形成される。また、導光板４は、厚み方向（上下方向）に対向する第１主面（下面）４０及び第２主面（上面）４１のうち、後端部を除く部分（範囲）に多数のマイクロレンズが形成されることが好ましい。さらに、導光板４の後端部における長手方向の両端部分には、切欠４３がそれぞれ設けられることが好ましい（図２参照）。
【００１５】
電源装置３は、電力系統から供給される交流電力を直流電力に変換する電力変換回路、１つの入力端子台３２、２つの出力端子台３３Ａ、３３Ｂなどが実装されたプリント配線板３１を金属製のケース３０に収納して構成される（図２参照）。一方の出力端子台３３Ａは、電線を介して、左側の光源部２のレセプタクルコネクタ２１０Ａ、２１０Ｂと電気的に接続される。また、他方の出力端子台３３Ｂは、別の電線を介して、右側の光源部２のレセプタクルコネクタ２１０Ａ、２１０Ｂと電気的に接続される。すなわち、電源装置３は、２対のレセプタクルコネクタ２１０Ａ、２１０Ｂを介して、２つの光源部２にそれぞれ直流電力を供給して光源部２（の発光素子２０）を発光（点灯）させるように構成される。
【００１６】
器具本体１は、電源装置３が取り付けられる第１取付部材１０と、光源部２及び導光板４が取り付けられる第２取付部材１１と、カバー部材１２と、補強部材１３とを有することが好ましい（図２参照）。
【００１７】
第１取付部材１０は、第１取付板１００と、第１連結板１０１と、一対の固定片１０２Ａ、１０２Ｂとを、鋼板などの金属板を加工（打ち抜き加工及び曲げ加工）して一体に形成するように構成される（図２参照）。第１取付板１００は、左右方向を長手方向とする長尺の矩形平板状に形成される。第１連結板１０１は、左右方向を長手方向とする長尺の矩形平板状に形成される。また、第１連結板１０１は、第１取付板１００の下端から前方へ突出するように形成される。一対の固定片１０２Ａ、１０２Ｂは、第１連結板１０１の前端から上向きに起立するように構成される。各固定片１０２Ａ、１０２Ｂには、雌ねじ部１０２０が設けられる。
【００１８】
第１取付板１００は、長手方向の中央、並びに、長手方向の中央から右寄りの位置に、それぞれ円形の孔１０００が設けられる。これらの孔１０００には、電力系統から交流電力が供給される電源ケーブルなどが挿通される。また、第１取付板１００は、長手方向の両端近傍の位置に、長孔状のねじ挿通孔１００１がそれぞれ設けられる（図２参照）。なお、これらのねじ挿通孔１００１は、長軸方向を第１取付板１００の長手方向と一致させるように構成されることが好ましい。
【００１９】
第１取付板１００は、中央の孔１０００と、左側のねじ挿通孔１００１との間の前面に、電源装置３が取り付けられることが好ましい（図２参照）。なお、電源装置３は、第１取付板１００にケース３０がねじ止めされることが好ましい。また、第１取付板１００の前面には、複数（図示例では３つ）の端子台１０３Ａ、１０３Ｂ、１０３Ｃが取り付けられる。中央の端子台１０３Ａは、電源ケーブルと電気的に接続され、かつ、電源装置３の入力端子台３２と電線を介して電気的に接続される。また、左側の端子台１０３Ｂは、左隣に他の照明器具が設置される場合に、電源ケーブルを送り配線するために用いられる。なお、残り１つの端子台１０３Ｃは、制御信号（例えば、調光信号）が伝送される信号線と電気的に接続される。
【００２０】
第１連結板１０１は、厚み方向に貫通する複数の第１孔１０１０及び第２孔１０１１を有する（図２参照）。第１孔１０１０は、ねじの雄ねじ部の外径よりも大きく、かつ、当該ねじの頭部の外径よりも小さい内径を有する丸孔に形成される。一方、第２孔１０１１は、ねじの頭部の外径よりも大きい内径を有する丸孔に形成される。
【００２１】
第２取付部材１１は、図２及び図５に示すように、第１押さえ部材１１０と、第２押さえ部材１１１と、複数の結合部材１１２とを有する。第１押さえ部材１１０は、第１主面４０の側（下側）から導光板４の後端部を押さえるように構成される。第２押さえ部材１１１は、第２主面４１の側（上側）から導光板４の後端部を押さえるように構成される。複数の結合部材１１２は、頭部１１２０と雄ねじ部１１２１を有するねじであり、第１押さえ部材１１０と第２押さえ部材１１１を互いに結合する（図５参照）。
【００２２】
第１押さえ部材１１０は、第１押圧片１１００と、複数の第１固定片１１０１と、第１連結片１１０２とを有する。第１押圧片１１００及び第１連結片１１０２は、それぞれ左右方向を長手方向とする矩形平板状に形成される。第１連結片１１０２は、第１押圧片１１００の後端から長手方向（左右方向）の全体に渡って上向きに立ち上がるように、第１押圧片１１００と一体に形成される。複数（本実施形態では４つ）の第１固定片１１０１は、それぞれ左右方向を長手方向とし、かつ、第１押圧片１１００及び第１連結片１１０２よりも長手方向の長さが短い、矩形平板状に形成される（図４参照）。これら４つの第１固定片１１０１は、第１連結片１１０２の上端から前方へ突出するように、第１連結片１１０２と一体に形成される。なお、各第１固定片１１０１には、第１雌ねじ部１１０３Ａと、第２雌ねじ部１１０３Ｂとがそれぞれ設けられる（図４参照）。ただし、４つの第１固定片１１０１のうち、両端の第１固定片１１０１には、第１雌ねじ部１１０３Ａがそれぞれ２つずつ設けられる（図４参照）。
【００２３】
第１連結片１１０２の上部には、複数のねじ孔が長手方向に沿って設けられている。一方、光源部２の基板２１には、複数の孔２１１が長手方向に沿って設けられている。そして、各孔２１１に挿通されるねじ２１２が、それぞれ第１連結片１１０２のねじ孔にねじ込まれることにより、第１連結片１１０２の前面に光源部２が取り付けられる（図３Ｃ、図４及び図５参照）。
【００２４】
第２押さえ部材１１１は、第２押圧片１１１０と、第２固定片１１１１と、第２連結片１１１２とを有する（図２及び図５参照）。第２押圧片１１１０、第２固定片１１１１及び第２連結片１１１２は、それぞれ左右方向を長手方向とする矩形平板状に形成される。第２連結片１１１２は、第２押圧片１１１０の前端から長手方向（左右方向）の全体に渡って上向きに立ち上がるように、第２押圧片１１１０と一体に形成される（図２参照）。また、第２固定片１１１１は、第２連結片１１１２の上端から後方へ突出するように、第２連結片１１１２と一体に形成される（図５参照）。第２固定片１１１１には、複数（４つ）の丸孔１１１３Ａと、複数（６つ）の角孔１１１３Ｂとがそれぞれ長手方向に沿って間隔を空けて並ぶように設けられる（図２参照）。
【００２５】
第２取付部材１１は、図５及び図６に示すように、第１押さえ部材１１０と第２押さえ部材１１１を複数（図示例では４つ）の結合部材（ねじ）１１２で結合することによって、導光板４の後端部を上下方向から押さえて保持するように構成される。
【００２６】
まず、第１押さえ部材１１０の第１押圧片１１００の上に、第１弾性部材１１３を介して導光板４の後端部が載置される（図６参照）。第１弾性部材１１３は、例えば、ウレタンゴムやシリコーンゴムなどの弾性材料により、長尺の矩形シート状に形成されることが好ましい。ここで、第１押さえ部材１１０の第１連結片１１０２の前面に取り付けられた光源部２の各発光素子２０と、導光板４の後端面（入射面４２）とが前後方向に対向する。ただし、導光板４の後端面（入射面４２）と、各光源部２の基板２１の前面との間に、複数の支持ばね１１４が配置される（図６参照）。これらの支持ばね１１４は、金属製の線材がＣ字状に曲げ加工され、導光板４の入射面４２と、各光源部２の発光素子２０の前面との距離を一定に保つように構成されている。
【００２７】
続いて、導光板４の第２主面４１の上に、第２弾性部材１１５を介して第２押さえ部材１１１の第２押圧片１１１０が載置され、かつ、第１押さえ部材１１０の第１固定片１１０１の上に、第２押さえ部材１１１の第２固定片１１１１が載置される（図６参照）。第２弾性部材１１５は、例えば、ウレタンゴムやシリコーンゴムなどの弾性材料により、長尺の矩形シート状に形成されることが好ましい。ここで、第２固定片１１１１の丸孔１１１３Ａと、第１固定片１１０１の第２雌ねじ部１１０３Ｂとが上下方向に重なる。したがって、第２固定片１１１１の上から丸孔１１１３Ａに結合部材１１２のねじ部（雄ねじ）１１２１を挿通し、かつ、第１固定片１１０１の第２雌ねじ部１１０３Ｂにねじ部１１２１をねじ込むことができる（図５参照）。そして、結合部材１１２が締め込まれると、第１押さえ部材１１０が上向きに引き上げられるとともに、第２押さえ部材１１１が下向きに押さえ込まれる。その結果、第１押さえ部材１１０の第１押圧片１１００と、第２押さえ部材１１１の第２押圧片１１１０とで導光板４の後端部を上下方向から挟み込んで保持することができる（図５参照）。
【００２８】
ここで、第１押さえ部材１１０は、長手方向（左右方向）の両端に、それぞれボルト１１０４を有している。これら２本のボルト１１０４は、第１連結片１１０２の長手方向の両端に設けられた突片１１０５にそれぞれ取り付けられている（図２参照）。各突片１１０５は、第１連結片１１０２の上端から前方へ突出するように、第１連結片１１０２と一体に形成される。そして、各突片１１０５に設けられる雌ねじ１１０５Ａ（図４参照）に、それぞれボルト１１０４がねじ込まれる。これら２本のボルト１１０４は、導光板４の各切欠４３内に挿入される。つまり、導光板４は、切欠４３内に挿入されるボルト１１０４により、前後及び左右の各方向に沿った移動が規制される。
【００２９】
ところで、導光板４の入射面４２に入射する光は、導光板４内を導光され、主に第１主面４０と第２主面４１から導光板４の外に放射される。ただし、入射面４２に近い導光板４の後端部においては、第１主面４０及び第２主面４１への入射角が臨界角よりも小さいために導光板４の外へ出射される可能性が高い。
【００３０】
そこで、導光板４の後端部の第１主面４０と第１押圧片１１００との間に第１反射部材２２０を配置し、導光板４の後端部の第２主面４１と第２押圧片１１１０との間に第２反射部材２２１を配置することが好ましい（図５参照）。つまり、導光板４の後端部から出射しようとする光を第１反射部材２２０及び第２反射部材２２１で反射させて導光板４内に戻すことにより、導光板４の後端部からの光の漏れを抑制することができる。
【００３１】
ここで、第１反射部材２２０及び第２反射部材２２１は、結合部２２２により結合され、反射シート２２として一体に形成されることが好ましい。結合部２２２は、図５に示すように、長手方向（左右方向）の両端が開放された角筒状に形成され、前面の下部から第１反射部材２２０と第２反射部材２２１とが前方へ突出するように構成される。ただし、結合部２２２の前面において、第１反射部材２２０と第２反射部材２２１に挟まれた部位、つまり、発光素子２０と対向する部位は開口している。なお、このような反射シート２２は、例えば、電気絶縁性を有し、かつ、可撓性を有する材料（例えば、ポリエチレンテレフタレートなどの合成樹脂）で形成されることが好ましい。この場合、第１反射部材２２０及び第２反射部材２２１は、合成樹脂材料などでシート状に形成された基材の表面にアルミが蒸着されて構成されることが好ましい。このように構成される反射シート２２は、第１連結片１１０２の前面と光源部２との間に結合部２２２が挟み込まれることで第２取付部材１１に取り付けられることが好ましい（図５参照）。
【００３２】
第１取付部材１０は、図７に示すように、第２取付部材１１の上に積み重ねるように固定される。まず、第２押さえ部材１１１の第２固定片１１１１の上に第１連結板１０１を載置し、固定用のねじ１０４を第１連結板１０１の第１孔１０１０に下向きに挿通する。このねじ１０４は、第２固定片１１１１の角孔１１１３Ｂを通して、第１固定片１１０１の第１雌ねじ部１１０３Ａにねじ込まれる。ゆえに、複数のねじ１０４でねじ止めされることにより、第１連結板１０１が第１押さえ部材１１０の第１固定片１１０１と結合されて、第１取付部材１０が第２取付部材１１に固定される。ただし、本実施形態における器具本体１は、第１取付部材１０と第２取付部材１１の結合強度の向上を図るため、複数（図示例では２つ）の補強部材１３を備えている（図３Ｃ及び図７参照）。
【００３３】
補強部材１３は、図８に示すように、平板部１３０と、一対の縦板部１３１と、一対の横板部１３２と、第１固定部１３３と、一対の第２固定部１３４とを有し、矩形平板状の金属板（例えば、鋼板など）が加工されて構成される。
【００３４】
平板部１３０は、矩形の平板状に形成され、中央付近に円形の孔１３００が設けられている。一対の縦板部１３１は、平板部１３０の長手方向（上下方向）に沿った両端から、それぞれ前方へ突出するように形成される。一対の横板部１３２は、各縦板部１３１の長手方向に沿った端から、それぞれ左右方向（平板部１３０から遠ざかる方向）へ突出するように形成される。つまり、補強部材１３は、一対の縦板部１３１により、平板部１３０の厚み方向の強度を向上させるように構成されている。
【００３５】
第１固定部１３３は、片側（図８における左側）の横板部１３２の上部に設けられる。第１固定部１３３は、横板部１３２の背面から後方に突出する雌ねじで構成される。一対の第２固定部１３４は、横板部１３２よりも幅の狭い矩形平板状であって、各横板部１３２の下端からそれぞれ下向きに突出するように形成される。
【００３６】
補強部材１３は、器具本体１の背面（後面）側において、第１取付部材１０と第２取付部材１１を跨ぐように配置される。そして、補強部材１３は、第１取付板１００に設けられる孔に挿通した固定ねじ１０５を第１固定部１３３にねじ込むことで第１取付部材１０に固定される（図８参照）。また、補強部材１３は、第１押さえ部材１１０の第１連結片１１０２に設けられる一対の引掛部１１０６に、一対の第２固定部１３４を各別に引っ掛けることで第２取付部材１１に固定される。引掛部１１０６は、第１連結片１１０２から後方に突出する一対の橋脚１１０６Ａと、一対の橋脚１１０６Ａに架け渡される橋板１１０６Ｂとを備える。そして、引掛部１１０６は、上下方向からみて、一対の橋脚１１０６Ａと橋板１１０６Ｂと第１連結片１１０２とに囲まれる空間（孔）に、第２固定部１３４が挿入されて引っ掛けられるように構成される（図８参照）。なお、このような引掛部１１０６は、例えば、第１連結片１１０２が打ち抜き加工されて形成されることが好ましい。
【００３７】
ここで、補強部材１３は、一対の縦板部１３１によって、第１取付部材１０の第１取付板１００及び第２押さえ部材１１１の第２連結片１１１２との間にスペースを形成している。そして、このスペースには、第１取付板１００に電源装置３をねじ止めしているねじや、第２連結片１１１２に光源部２をねじ止めしているねじ２１２などが配置される。つまり、補強部材１３は、上記スペースを形成することにより、第１取付部材１０及び第２取付部材１１の後面から突出するねじが被取付面と干渉することを防いでいる。
【００３８】
次に、カバー部材１２について説明する。カバー部材１２は、主部１２０と、天板部１２１と、一対の側板部１２２と、一対の支持部材１２３と、２つの固定ねじ１２４とを有する（図２及び図９〜図１２参照）。主部１２０は、長尺の矩形平板状に形成される。天板部１２１は、主部１２０の上端から後方へ突出するように、長尺の矩形平板状に形成される。一対の側板部１２２は、矩形平板状に形成され、主部１２０及び天板部１２１の左右両端とそれぞれ繋がるように形成される。すなわち、カバー部材１２は、後方と下方に開放された長尺の矩形箱状に構成される（図２参照）。ただし、各側板部１２２は、主部１２０の下端よりも下に突出するように形成されることが好ましい。また、各側板部１２２には、切除可能なノックアウト部１２２０が形成され、ノックアウト部１２２０が切除された後の孔に送り配線用の電源ケーブルが挿通されるように構成されることが好ましい（図１０参照）。
【００３９】
一対の支持部材１２３は、支持部１２３０と固定部１２３１とを有する（図９及び図１０参照）。支持部１２３０は、前後方向からみて矩形に形成され、中央から下側に段差１２３０Ａが形成されている（図１０参照）。また、支持部１２３０には、大径孔１２３２と、小径孔１２３３と、連結孔１２３４とが設けられる（図９参照）。大径孔１２３２は、縦方向（上下方向）及び横方向（左右方向）の幅寸法を固定ねじ１２４の頭部１２４０の外径よりも大きくした矩形に形成される。小径孔１２３３は、縦方向の幅寸法を固定ねじ１２４の頭部１２４０よりも小さく、かつ、固定ねじ１２４の雄ねじ部１２４１よりも大きくした矩形に形成される。連結孔１２３４は、上端を大径孔１２３２の下端全体と繋ぎ、下端を小径孔１２３３の上端の約半分と繋げた台形状に形成される。なお、支持部１２３０の下端の中央には、台形状に形成されて下後方へ突出する導通部１２３５が設けられる（図９及び図１０参照）。
【００４０】
固定部１２３１は、矩形の平板状であり、かつ、支持部１２３０の上端から後方へ突出するように形成される（図１０参照）。固定部１２３１は、厚み方向に貫通する、円形の固定孔が設けられる。
【００４１】
支持部材１２３は、天板部１２１の下面から下向きに突出する突起１２１０を固定部１２３１の固定孔に挿通し、突起１２１０をかしめることで天板部１２１に固定される（図１０参照）。このとき、固定部１２３１の上面が天板部１２１の下面と接触し、支持部１２３０の前面のうちで段差１２３０Ａよりも上の部分が主部１２０の後面と接触する（図１０参照）。なお、支持部１２３０の段差１２３０Ａよりも下側の部分と主部１２０の後面との間に、僅かな隙間が形成される（図１０参照）。
【００４２】
固定ねじ１２４は、頭部１２４０の高さ（厚み）が通常のねじよりも十分に低い（薄い）、いわゆる、低頭ねじ（ローヘッドねじ）であることが好ましい。固定ねじ１２４が低頭ねじであるため、支持部１２３０の段差１２３０Ａよりも下側の部分と主部１２０の後面との間の僅かな隙間に、固定ねじ１２４の頭部１２４０を収容することができる。
【００４３】
すなわち、支持部１２３０を後方へ引張り上げるようにして撓ませた状態で、固定ねじ１２４の雄ねじ部１２４１を前方から大径孔１２３２に挿通した後、雄ねじ部１２４１を大径孔１２３２から連結孔１２３４を経由して小径孔１２３３まで移動させる。さらに、雄ねじ部１２４１を小径孔１２３３の端（図９における左端）に移動させれば、支持部１２３０は、固定ねじ１２４を小径孔１２３３内で回転可能に支持することができる（図９参照）。
【００４４】
ここで、カバー部材１２の主部１２０は、支持部１２３０に支持された固定ねじ１２４の頭部１２４０と前後方向に重なる位置に、露出孔１２００が設けられている（図１、図２、図１１参照）。この露出孔１２００は、図１１に示すように、頭部１２４０の前面に形成されている十字穴１２４２よりも孔径が大きく、かつ、頭部１２４０の外径よりも孔径が小さくなるように形成される（図１１参照）。ただし、固定ねじ１２４は、頭部１２４０にすり割り（直線状の溝）、あるいは、六角穴が形成されたねじであっても構わない。
【００４５】
カバー部材１２は、第１取付部材１０及び第２取付部材１１に前方から被せられる。このとき、一対の支持部１２３０に支持された各固定ねじ１２４の雄ねじ部１２４１が、第１取付部材１０の２つの固定片１０２Ａ、１０２Ｂの各雌ねじ部１０２０と前後方向において重なる。したがって、露出孔１２００から露出する固定ねじ１２４の十字穴１２４２にドライバの先端を挿入し、このドライバを使って固定ねじ１２４を右向きに回せば、固定ねじ１２４の雄ねじ部１２４１が雌ねじ部１０２０にねじ込まれる。その結果、２本の固定ねじ１２４により、カバー部材１２を第１取付部材１０の一対の固定片１０２Ａ、１０２Ｂにねじ止めして固定することができる（図１及び図１２参照）。
【００４６】
ここで、カバー部材１２が第１取付部材１０に固定されると、固定片１０２Ａ、１０２Ｂに設けられている孔１０２１の縁（上側の縁）に支持部１２３０の導通部１２３５が接触する（図１２参照）。その結果、導通部１２３５を介して、カバー部材１２と第１取付部材１０とを電気的に導通させることができる。なお、支持部材１２３が塗装されている場合であっても、導通部１２３５の表面の塗膜が孔１０２１の縁で剥ぎ取られるため、支持部材１２３の下地金属と第１取付部材１０とを電気的に導通させることができる。
【００４７】
続いて、本実施形態に係る照明器具の施工手順を簡単に説明する。ただし、電源装置３に対する電源ケーブルの接続などの電気工事の手順については、説明を省略する。
【００４８】
本実施形態に係る照明器具は、例えば、建物の屋内の壁５に直付けされる。本実施形態に係る照明器具が取り付けられる壁５（被取付面）には、取付用の複数のボルト５０が埋め込まれている（図１３参照）。これらのボルト５０を、補強部材１３の孔１３００、及び第１取付部材１０の第１取付板１００のねじ挿通孔１００１に挿通し、各ボルト５０にナット５１を締め付けることにより、カバー部材１２を取り外した器具本体１を壁５に固定する。そして、上述したようにカバー部材１２を２本の固定ねじ１２４によって第１取付部材１０の一対の固定片１０２Ａ、１０２Ｂにねじ止めして固定すれば、本実施形態に係る照明器具の施工が完了する。なお、器具本体１は、第２取付部材１１の下面（第１押さえ部材１１０の第２押圧片１１１０の下面）を、保護カバー１４で覆うように構成されることが好ましい（図１３参照）。保護カバー１４は、カバー部材１２と同一の材料（金属板）によって長尺の矩形平板状に形成されることが好ましい。また、保護カバー１４は、前端部が長手方向（左右方）に沿って上に曲げ起こされることが好ましい。そして、保護カバー１４は、例えば、両面に接着剤が塗布された接着テープなどにより、第２押圧片１１１０（の下面）に貼り付けられることが好ましい（図１３参照）。なお、本実施形態に係る照明器具は、図１３に示すように壁５に対して水平に取り付けられてもよいが、壁５に対して垂直、あるいは斜めに取り付けられても構わない。
【００４９】
上述のように本実施形態に係る照明器具は、導光板４と、光を放射する光源部２と、光源部２及び導光板４を保持する器具本体１とを備える。導光板４は、透光性を有する材料で板状に形成される。導光板４は、光源部２から側面（後端面）に入射する光を導光し、かつ、厚み方向（上下方向）に対向する第１主面４０と第２主面４１のうちの少なくともいずれか一方の主面から光を出射させるように構成される。器具本体１は、第１主面４０の側から導光板４の端部を押さえる第１押さえ部材１１０と、第２主面４１の側から導光板４の端部を押さえる第２押さえ部材１１１と、第１押さえ部材１１０と第２押さえ部材１１１を互いに結合する結合部材１１２とを有する。第１押さえ部材１１０は、導光板４の端部における第１主面４０と対向する平板状の第１押圧片１１００と、導光板４の端部における第２主面４１と対向する平板状の第１固定片１１０１とを有する。さらに、第１押さえ部材１１０は、第１押圧片１１００と第１固定片１１０１を連結する第１連結片１１０２を有する。第２押さえ部材１１１は、導光板４の端部を挟んで第１押圧片１１００と対向する平板状の第２押圧片１１１０と、第１固定片１１０１を挟んで第２押圧片１１１０と対向する平板状の第２固定片１１１１とを有する。さらに、第２押さえ部材１１１は、第２押圧片１１１０と第２固定片１１１１を連結する第２連結片１１１２を有する。第１固定片１１０１と第２固定片１１１１は、結合部材１１２により、第２固定片１１１１が第１固定片１１０１を挟んで第２押圧片１１１０と対向するように結合される。
【００５０】
本実施形態に係る照明器具は、結合部材１１２の結合力（締め付け力）によって、第１押圧片１１００と第２押圧片１１１０で導光板４の端部を押圧して導光板４を保持することができる。ゆえに、本実施形態に係る照明器具は、貫通孔を設けずに導光板４を強固に保持することができる。
【００５１】
また、本実施形態に係る照明器具において、第１主面４０と第１押圧片１１００との間に配置される第１反射部材２２０と、第２主面４１と第２押圧片１１１０との間に配置される第２反射部材２２１とを備えることが好ましい。第１反射部材２２０は、シート状に形成されて第１主面４０と対向する面で光を反射するように構成されることが好ましい。第２反射部材２２１は、シート状に形成されて第２主面４１と対向する面で光を反射するように構成されることが好ましい。
【００５２】
本実施形態に係る照明器具が上述のように構成されれば、光源部２から導光板４に入射する光のうち、器具本体１に保持される端部から導光板４の外へ漏れる光を抑制することができる。その結果、本実施形態に係る照明器具は、光源部２から放射される光の利用効率の向上を図ることができる。
【００５３】
さらに、本実施形態に係る照明器具において、第１反射部材２２０及び第２反射部材２２１は、結合部２２２によって互いに一体に結合されるように構成されることが好ましい。そして、少なくとも結合部２２２は、電気絶縁性を有する材料で形成されることが好ましい。
【００５４】
本実施形態に係る照明器具が上述のように構成されれば、光源部２の発光素子２０や電気配線（導体）などが結合部２２２を介して短絡することを防ぐことができる。
【００５５】
また、本実施形態に係る照明器具において、第１押さえ部材１１０の第１押圧片１１００と第１主面４０との間に弾性部材（第１弾性部材１１３）が挟み込まれることが好ましい。あるいは、第２押さえ部材１１１の第２押圧片１１１０と第２主面４１との間に弾性部材（第２弾性部材１１５）が挟み込まれることが好ましい。
【００５６】
本実施形態に係る照明器具が上述のように構成されれば、導光板４のがたつきの抑制を図ることができる。
【符号の説明】
【００５７】
１  器具本体
２  光源部
４  導光板
４０  第１主面
４１  第２主面
１１０  第１押さえ部材
１１１  第２押さえ部材
１１２  結合部材
１１３  第１弾性部材（弾性部材）
１１５  第２弾性部材（弾性部材）
２２０  第１反射部材
２２１  第２反射部材
２２２  結合部
１１００  第１押圧片
１１０１  第１固定片
１１０２  第１連結片
１１１０  第２押圧片
１１１１  第２固定片
１１１２  第２連結片
【図１】
0006551831.tif 000002
【図２】
0006551831.tif 000003
【図３】
0006551831.tif 000004
【図４】
0006551831.tif 000005
【図５】
0006551831.tif 000006
【図６】
0006551831.tif 000007
【図７】
0006551831.tif 000008
【図８】
0006551831.tif 000009
【図９】
0006551831.tif 000010
【図１０】
0006551831.tif 000011
【図１１】
0006551831.tif 000012
【図１２】
0006551831.tif 000013
【図１３】
0006551831.tif 000014